(57)【要約】【課題】音漏れを抑制することができる電子機器収容キャビネットを提供する。【解決手段】キャビネット本体１１のフロントドア４１に空気が通流する冷却用通風口５１を設け、冷却用通風口５１を覆う吸音板６２を冷却用通風口５１から離間して設ける。冷却用通風口５１が開口したフロントドア４１と吸音板６２との間に離間空間７１を形成し、離間空間７１を外部に連通する連通空間７２を側方へ向けて開口する。キャビネット本体１１のリヤカバー９２に空気が通流する排気口１２３を設け、排気口１２３とキャビネット本体１１の内部空間５２との間に、空気の通流経路１３１を迂回させるクランク状の風路１３２を形成する。【選択図】図３
2010050141.tif 000002
【特許請求の範囲】
【請求項１】
キャビネット本体に電子機器が収容される電子機器収容キャビネットにおいて、
前記キャビネット本体の一面に空気が通流する第一通流口を設け、該第一通流口を覆う吸音板を当該第一通流口から離間して設けて、該第一通流口が開口した前記一面と前記吸音板との間に離間空間を形成するとともに、該離間空間を外部に連通する連通空間を側方へ向けて開口する一方、
前記キャビネット本体の他面に空気が通流する第二通流口を設け、該第二通流口と前記キャビネット本体の内部空間との間に、空気の通流経路を迂回させるクランク状の風路を設定したことを特徴とする電子機器収容キャビネット。
【請求項２】
前記一面を前記キャビネット本体の前面で構成し、前記他面を前記キャビネット本体の後面で構成する一方、
前記キャビネット本体の側面内側に吸音材を設けたことを特徴とする請求項１記載の電子機器収容キャビネット。
【発明の詳細な説明】
【技術分野】
【０００１】
本発明は、コンピュータやネットワーク機器等の電子機器を収容する電子機器収容キャビネットに関する。
【背景技術】
【０００２】
従来、コンピュータやネットワーク機器等の電子機器を管理する際には、電子機器収容キャビネットが用いられている。
【０００３】
また、近年では、ＩＴ化が進み、オフィス環境や静かな空間にサーバコンピュータ等の電子機器を設置するケースが増えており、オフィス等に１９インチキャビネットを設置し、この１９インチキャビネットに電子機器を収容して管理している。
【発明の開示】
【発明が解決しようとする課題】
【０００４】
しかしながら、このような電子機器収容キャビネットにあっては、搭載される電子機器の消費電力が年々増大しており、これ伴って機器冷却用ファン等の騒音が問題視されている。
【０００５】
特にオフィス環境等に１９インチキャビネットが設置されるケースでは、機器の騒音が職場環境を低下する恐れがある。
【０００６】
本発明は、このような従来の課題に鑑みてなされたものであり、音漏れを抑制することができる電子機器収容キャビネットを提供することを目的とするものである。
【課題を解決するための手段】
【０００７】
前記課題を解決するために本発明の請求項１の電子機器収容キャビネットにあっては、キャビネット本体に電子機器が収容される電子機器収容キャビネットにおいて、前記キャビネット本体の一面に空気が通流する第一通流口を設け、該第一通流口を覆う吸音板を当該第一通流口から離間して設けて、該第一通流口が開口した前記一面と前記吸音板との間に離間空間を形成するとともに、該離間空間を外部に連通する連通空間を側方へ向けて開口する一方、前記キャビネット本体の他面に空気が通流する第二通流口を設け、該第二通流口と前記キャビネット本体の内部空間との間に、空気の通流経路を迂回させるクランク状の風路を設定した。
【０００８】
すなわち、電子機器が収容されたキャビネット本体の内部空間は、電子機器が発生する熱により熱がこもりやすい。このため、当該キャビネット本体内に、外部の空気を取り込むとともに、内部の空気を排出する必要が生ずる。
【０００９】
このとき、前記キャビネット本体の一面には、空気が通流する第一通流口が設けられており、この第一通流口は、離間して設けられた吸音板によって覆われている。そして、前記第一通流口が開口した前記一面と前記吸音板との間には、離間空間が形成されており、この離間空間は、側方へ向けて開口した連通空間を介して外部に連通するように構成されている。
【００１０】
このため、例えば前記第一通流口から前記キャビネット本体内に外部の空気を取り込む場合、この空気は、側方へ向けて開口した連通空間、及び前記第一通流口が開口した前記一面と前記吸音板間の離間空間を介して、前記第一通流口から前記キャビネット本体内に取り込まれる。
【００１１】
このとき、前記キャビネット本体内に収容された電子機器のファンからは、騒音が発生しており、この騒音は、前記第一通流口、前記離間空間、及び前記連通空間を介して外部に漏れる恐れがある。
【００１２】
しかし、前記第一通流口は、前記吸音板で覆われており、当該第一通流口から直接外部への音漏れは、前記吸音板によって防止される。
【００１３】
一方、前記キャビネットの他面に設けられた第二通流口から、例えば前記キャビネット本体内の空気を排出する場合、内部の空気は、前記キャビネット本体の内部空間と前記第二通流口との間に形成された風路を通流して外部に排出される。
【００１４】
このとき、前記内部空間で発生した前記騒音は、前記第二通流口を介して外部に漏れる恐れがある。
【００１５】
しかし、前記内部空間と前記第二通流口との間には、空気の通流経路を迂回させるクランク状の風路が設けられており、前記内部空間からの騒音は、前記風路で迂回される際に減衰される。
【００１６】
また、請求項２の電子機器収容キャビネットにおいては、前記一面を前記キャビネット本体の前面で構成し、前記他面を前記キャビネット本体の後面で構成する一方、前記キャビネット本体の側面内側に吸音材を設けた。
【００１７】
すなわち、前記キャビネット本体の前記内部空間で発生したファン等の騒音は、当該キャビネット本体の側面を介して漏れる恐れがある。
【００１８】
しかし、この側面の内側には、音波を吸収する吸音材が設けられており、前記騒音は、この吸音材によって吸音される。
【発明の効果】
【００１９】
以上説明したように本発明の請求項１の電子機器収容キャビネットにあっては、前記キャビネット本体の一面に設けられた第一通流口は、吸音板で覆われており、当該第一通流口から直接外部への音漏れを防止することができる。
【００２０】
このとき、前記第一通流口から漏れ出た騒音を、音波を吸収する前記吸音板によって吸収することもできる。これにより、外部への音漏れ効果を高めることができる。
【００２１】
また、前記キャビネット本体の他面に設けられた第二通流口と前記内部空間との間には、空気の通流経路を迂回させるクランク状の風路が設けられており、前記内部空間からの騒音を、この風路で迂回する際に減衰することができる。
【００２２】
このため、前記内部空間の騒音が前記第二通流口から直接外部へ漏れる場合と比較して、外部への音漏れを抑制することができる。
【００２３】
このように、前記キャビネット本体の内部空間の冷却機能を損なうこと無く、該内部空間からの音漏れを抑制することができる。このため、当該電子機器収容キャビネットをオフィス等に設置した場合であっても、騒音による職場環境低下を防止することができる。
【００２４】
また、請求項２の電子機器収容キャビネットにおいては、前記キャビネット本体の側面の内側に、音波を吸収する吸音材を設けることによって、前記内部空間で発生した騒音を、この吸音材で吸音することができる。
【００２５】
これにより、前記側面を介した音漏れを抑制することができ、静音効果をさらに高めることができる。
【発明を実施するための最良の形態】
【００２６】
以下、本発明の一実施の形態を図に従って説明する。
【００２７】
図１は、本実施の形態にかかる電子機器収容キャビネット１を示す図である。この電子機器収容キャビネット１は、サーバコンピュータやネットワーク機器等の電子機器を収容して管理するものであり、オフィス等での使用に適した１９インチキャビネットが示されている。
【００２８】
この電子機器収容キャビネット１のキャビネット本体１１は、１９インチサーバ機器を収納可能な奥長の直方体形状に形成されており、図２にも示すように、四隅には、矩形状の支柱１２，・・・が設けられている。このキャビネット本体１１の底面は、矩形状の底面カバー１３によって形成されており、該底面カバー１３の四隅には、前記支柱１２，・・・が立設されるとともに、図１に示したように、キャスター１４，・・・が設けられている。
【００２９】
前記キャビネット本体１１の天面は、矩形状のトップカバー２１によって形成されており、当該トップカバー２１は、パソコンモニターやキーボードやマウスなどを操作可能に配置できる大きさを有している。このトップカバー２１の奥側には、配線用のグロメット２２が右角部に設けられており、当該トップカバー２１でモニター・キーボードのケーブルやノートパソコンを使用する際に電源を取れるように構成されている。
【００３０】
また、前記キャビネット本体１１の左右の側面は、サイドカバー３１，３１によって構成されており、当該サイドカバー３１，３１の内側面には、図２に示したように、音波を吸収する吸音材３２，３２が設けられている。この吸音材３２，３２としては、吸音性を有する発泡スチロールやガラスウール等がその一例として挙げられるが、吸音性を有するものであれば、他の素材で構成しても良い。
【００３１】
前記キャビネット本体１１の一面である前面は、図１に示したように、フロントドア４１で構成されており、該フロントドア４１は、その右側部がヒンジ４２，４２を介して前記支柱１２に回動自在に支持されている。このフロントドア４１の左側部には、楕円形状の取っ手部４３が凹設されており、この取っ手部４３を操作して前記フロントドア４１を開閉することで、当該キャビネット本体１１内に電子機器を収容できるように構成されている。
【００３２】
前記フロントドア４１の中央部には、図１及び図３に示すように、空気が通流する第一通流口としての冷却用通風口５１が開設されており、該冷却用通風口５１は、縦長の長方形状に形成されている。この冷却用通風口５１は、図３に示したように、当該キャビネット本体１１の内部空間５２に連通しており、外部の空気を内部空間５２に流入できるように構成されている。
【００３３】
このフロントドア４１の前面６１には、図１及び図２並びに図４に示したように、前記冷却用通風口５１を覆う吸音板６２が設けられており、該吸音板６２は、前記冷却用通風口５１に対向して設けられた本体部６３と、該本体部６３の四隅より前記フロントドア４１の四隅へ向けて延出した延出部６４，・・・とからなるＸ字形状にデザインされている。前記各延出部６４，・・・は、前記本体部６３から先端へ向かうに従って前記フロントドア４１側へ向けて傾斜して延出しており、各延出部６４，・・・は、その先端部が折り曲げられ図１及び図３に示したように、固定ネジ６５，・・・によって前記フロントドア４１に固定されている。
【００３４】
これにより、前記吸音板６２は、前記本体部６３が前記冷却用通風口５１から離間するように構成されており、該冷却用通風口５１が開口した前記前面６１と前記吸音板６２の前記本体部６３との間には、図２及び図３に示したように、離間空間７１が形成されている。また、この本体部６３より前記フロントドア４１側へ延出した前記各延出部６４，・・・間には、図１及び図３並びに図４に示したように、前記離間空間７１と外部とを連通する連通空間７２，・・・が設けられており、各連通空間７２，・・・は、側方へ向けて開口している。
【００３５】
この吸音板６２の前記本体部６３における前記冷却用通風口５１側である内側面には、図３及び図４に示したように、音波を吸収する長方形状の吸音材８１が設けられており、この吸音材８１としては、吸音性を有する発泡スチロールやガラスウール等が挙げられるが、吸音性を有するものであれば、他の素材であっても良い。
【００３６】
これにより、当該キャビネット本体１１外部の空気を、側方へ向けて開口した前記連通空間７２，・・・を介して、前記本体部６３と前記フロントドア４１間の前記離間空間７１に流入するとともに、この離間空間７１から前記冷却用通風口５１を介して、前記キャビネット本体１１の前記内部空間５２に吸入できるように構成されている。
【００３７】
前記キャビネット本体１１の他面である後面９１は、リヤカバー９２で構成されており、該リヤカバー９２と前記内部空間５２との間には、図２に示したように、排気装置９３が設けられている。
【００３８】
この排気装置９３は、図３に示すように、当該排気装置９３を構成する排気部本体１０２の区画壁１０３の上部に、開口部１０４が設けられており、該開口部１０４には、複数のファンユニット１０５，・・・が上下左右に配置されている。このファンユニット１０５，１０５のファンモータには、電源が供給さるように構成されており、通電に伴ってファンが回動した際に、前記内部空間５２の空気を外部へ押し出すように構成されている。
【００３９】
前記両ファンユニット１０５，１０５は、前記リヤカバー９２の内側面に対向するように配置されており、前記両ファンユニット１０５，１０５から送られた空気は、当該リヤカバー９２に当接して下方へ流れるように構成されている。このリヤカバー９２の下部には、横長の長方形状の下部開口部１１１が設けられており（図３参照）、当該リヤカバー９２の下端部は、図１に示したように、閉鎖プレート１２２が設けられている。
【００４０】
該閉鎖プレート１２２によって前記下部開口部１１１は、閉鎖されており、当該閉鎖プレート１２２の中央部には、複数のスリットが設けられ、これらのスリットによって空気が通流する第二通流口を構成する排気口１２３が構成されている。
【００４１】
これにより、この排気口１２３と前記内部空間５２との間には、図３に示したように、前記両ファンユニット１０５，１０５からの空気の通流経路１３１を下方へ折曲して後、さらに後方へ折曲して迂回させるクランク状の風路１３２が、前記リヤカバー９２の壁面と前記区画壁１０３との間に形成されている。
【００４２】
そして、この区画壁１０３と前記リヤカバー９２との対向面にも、音波を吸収する吸音材１４１，１４１が設けられており、この吸音材１４１，１４１としては、吸音性を有する発泡スチロールやガラスウール等がその一例として挙げられるが、吸音性を有するものであれば、他の素材であっても良い。
【００４３】
以上の構成にかかる本実施の形態において、電子機器が収容されたキャビネット本体１１の内部空間５２は、電子機器が発生する熱により熱がこもりやすい。このため、排気装置９３のファンユニット１０５，１０５を作動して、当該キャビネット本体１１内に外部の空気を取り込むとともに内部の空気を排出する必要が生ずる。
【００４４】
このとき、前記キャビネット本体１１のフロントドア４１には、空気が通流する第一通流口としての冷却用通風口５１が開設されており、この冷却用通風口５１は、離間して設けられた吸音板６２の本体部６３によって覆われている。
【００４５】
そして、前記冷却用通風口５１が開口した前記フロントドア４１と前記吸音板６２の前記本体部６３との間には、離間空間７１が形成されており、この離間空間７１は、側方へ向けて開口した連通空間７２，・・・を介して外部に連通するように構成されている。
【００４６】
このため、前記ファンユニット１０５，１０５によってキャビネット本体１１の内部空間５２に生じた負圧により、外部の空気を前記冷却用通風口５１から前記キャビネット本体１１内に取り込む場合、この空気は、側方へ向けて開口した前記連通空間７２，・・・、及び前記冷却用通風口５１が開口した前記フロントドア４１と前記吸音板６２間の前記離間空間７１を介して、前記冷却用通風口５１から前記キャビネット本体１１内に吸入される。
【００４７】
このとき、前記キャビネット本体１１内に収容された電子機器のファンからは、騒音が発生しており、この騒音は、前記冷却用通風口５１を介して外部に漏れる恐れがある。
【００４８】
しかし、前記冷却用通風口５１は、前記吸音板６２で覆われており、当該冷却用通風口５１から直接外部への音漏れは、前記吸音板６２によって防止される。
【００４９】
一方、前記キャビネット本体１１のリヤカバー９２に設けられた第二通流口としての排気口１２３から、前記キャビネット本体１１内の空気を排出する場合、前記内部の空気は、前記キャビネット本体１１の内部空間５２と前記排気口１２３との間に形成された風路１３２を通流して外部に排出される。
【００５０】
このとき、前記内部空間５２で発生した前記騒音は、前記排気口１２３を介して外部に漏れる恐れがある。
【００５１】
しかし、前記内部空間５２と前記排気口１２３との間には、空気の通流経路１３１を迂回させるクランク状の風路１３２が設けられており、前記内部空間５２からの騒音は、前記風路１３２で迂回される際に減衰される。
【００５２】
このように、前記キャビネット本体１１の前記フロントドア４１に設けられた冷却用通風口５１は、前記吸音板６２で覆われており、当該冷却用通風口５１から直接外部への音漏れを防止することができる。
【００５３】
このとき、前記冷却用通風口５１から漏れ出た騒音を、前記吸音材８１に設けられた吸音材８１によって吸収することもできる。これにより、外部への音漏れ効果を高めることができる。
【００５４】
また、前記キャビネット本体１１のリヤカバー９２に設けられた排気口１２３と前記内部空間５２との間には、空気の通流経路１３１を迂回させるクランク状の風路１３２が設けられており、前記内部空間５２からの騒音を、この風路１３２で迂回する際に減衰することができる。
【００５５】
このとき、前記騒音を、前記区画壁１０３及び前記リヤカバー９２に設けられた吸音材１４１，１４１で吸音することもできるため、騒音の減衰効果をさらに高めることができる。
【００５６】
このため、前記内部空間５２の騒音が前記排気口１２３から直接外部へ漏れる場合と比較して、外部への音漏れを抑制することができる。
【００５７】
このように、前記キャビネット本体１１の内部空間５２の冷却機能を損なうこと無く、該内部空間５２からの音漏れを抑制することができる。したがって、当該電子機器収容キャビネット１をオフィス等に設置した場合であっても、騒音による職場環境低下を防止することができる。
【００５８】
一方、前記キャビネット本体１１の前記内部空間５２で発生したファン等の騒音は、当該キャビネット本体１１の側面を構成するサイドカバー３１，３１を振動させ、このサイドカバー３１，３１を介して外部に漏れる恐れがある。
【００５９】
しかし、このサイドカバー３１，３１の内側には、音波を吸収する吸音材３２，３２が設けられており、この騒音を前記吸音材３２，３２によって吸音することができる。
【００６０】
これにより、前記サイドカバー３１，３１を介した音漏れを抑制することができ、静音効果をさらに高めることができる。
【図面の簡単な説明】
【００６１】
【図１】本発明の一実施の形態を示す図である。
【図２】図１のＡ−Ａ断面図である。
【図３】図１のＢ−Ｂ断面図である。
【図４】同実施の形態の吸音板を示す図である。
【符号の説明】
【００６２】
１    電子機器収容キャビネット
１１    キャビネット本体
３１    サイドカバー
３２    吸音材
４１    フロントドア
５１    冷却用通風口
５２    内部空間
６１    前面
６２    吸音板
７１    離間空間
７２    連通空間
９１    後面
９２    リヤカバー
１２３    排気口
１３１    通流経路
１３２    風路
【図１】
2010050141.tif 000003
【図２】
2010050141.tif 000004
【図３】
2010050141.tif 000005
【図４】
2010050141.tif 000006